(57)【要約】【課題】多数の人が利用する学校等の施設あるいは建物内において地震等の災害が発生した際に学生等の施設利用者を確実に避難させるのに適した避難指示システムを提供することにある。【解決手段】避難経路図１ａが表示された避難指示パネル１であって、災害発生時に安全を確認するための行動指針を列挙した安全確認表１ｂが併せて表示されている避難指示パネル１と、壁面Ｗに設けられて前記避難指示パネル１を着脱可能に支持するパネル支持具２と、を具えてなる避難指示システムである。【選択図】図１
0003173925.tif 000002
【実用新案登録請求の範囲】
【請求項１】
避難経路図が表示された避難指示パネルであって、
前記避難指示パネルには、災害発生時に安全を確認するための行動指針を列挙した安全確認表が併せて表示されていることを特徴とする、避難指示パネル。
【請求項２】
前記安全確認表には、前記避難指示パネルを所持した者が、前記行動指針に従って行動しているか否かを記入する記入欄が設けられていることを特徴とする、請求項１記載の避難指示パネル。
【請求項３】
前記安全確認表には、前記避難指示パネルを所持した者が、自分の名前を記入する記入欄が設けられていることを特徴とする、請求項１または２記載の避難指示パネル。
【請求項４】
前記安全確認表には、前記避難指示パネルを所持した者が、避難前後でそれぞれ確認した避難人数を記入する記入欄が設けられていることを特徴とする、請求項１から３までの何れか１項記載の避難指示パネル。
【請求項５】
前記記入欄は、記入された情報を消去可能なものであることを特徴とする、請求項２から４までの何れか１項記載の避難指示パネル。
【請求項６】
前記避難経路図は前記避難指示パネルの表側に表示され、前記安全確認表は前記避難指示パネルの裏側に表示されていることを特徴とする、請求項１から５までの何れか１項記載の避難指示パネル。
【請求項７】
請求項１から６までの何れか１項記載の避難指示パネルと、
壁面に設けられて前記避難指示パネルを着脱可能に支持するパネル支持具と、
を具えてなる避難指示システム。
【請求項８】
前記避難経路図は、前記避難指示パネルに表示される代わりに、壁面に設けられた避難経路図パネルに表示されていることを特徴とする、請求項７記載の避難指示システム。
【請求項９】
前記パネル支持具は、前記避難指示パネルの上下端部をそれぞれはめ込まれる嵌合部で前記避難指示パネルを支持し、前記避難指示パネルが撓められてその上下端部がそれぞれ前記嵌合部から抜け出ることで前記避難指示パネルを解放することを特徴とする、請求項７または８記載の避難指示システム。
【請求項１０】
前記パネル支持具は、前記避難指示パネルに形成された掛合穴に掛合する掛合部材で前記避難指示パネルを支持することを特徴とする、請求項７から９までの何れか１項記載の避難指示システム。
【考案の詳細な説明】
【技術分野】
【０００１】
この考案は、多数の人が利用する学校等の施設あるいは建物内において地震等の災害が発生した際に学生等の施設利用者を確実に避難させるのに適した避難指示パネルおよびそれを具える避難指示システムに関するものである。
【背景技術】
【０００２】
多数の人が利用する学校等の施設あるいは建物内において地震等の災害が発生した際、学生等の多数の施設利用者をどのようにして、どのような経路で避難させるかは極めて重要である。そこで従来、例えばレーザー光で床面に避難経路を示す画像を投影する装置（特許文献１参照）が提案されている。
【先行技術文献】
【特許文献】
【０００３】
【特許文献１】特開２０１１−１３４１７２号公報
【考案の概要】
【考案が解決しようとする課題】
【０００４】
しかしながら、単に避難経路を示すだけでは、学生等の多数の施設利用者を必ずしも確実に避難場所へ導くことはできず、一緒に避難できずに避難経路から外れる者が出てくる可能性があるという問題があった。
【０００５】
また、レーザー光で画像を床面に表示する装置では、製作および維持管理に費用が嵩むため、容易には導入できないという問題もあった。
【課題を解決するための手段】
【０００６】
この考案は上記課題を有利に解決した避難指示パネルおよびそれを具える避難指示システムを提供することを目的とするものであり、この考案の避難指示パネルは、避難経路図が表示された避難指示パネルであって、前記避難指示パネルには、災害発生時に安全を確認するための行動指針を列挙した安全確認表が併せて表示されていることを特徴とするものである。
【０００７】
また、この考案の避難指示システムは、前記避難指示パネルと、壁面に設けられて前記避難指示パネルを着脱可能に支持するパネル支持具と、を具えてなるものである。
【考案の効果】
【０００８】
かかるこの考案の避難指示パネルによれば、避難指示パネルに避難経路図に併せて、災害発生時に安全を確認するための行動指針を列挙した安全確認表が表示されているので、多数の人が利用する学校等の施設あるいは建物内において地震等の災害が発生した時に、この避難指示パネルを所持した者、例えば学校では教師等が例えばリーダーとなるよう事前に打ち合わせておき、あるいは当該安全確認表に行動指針として記載しておき、そのリーダー等が、避難経路図を用いながら安全確認表の行動指針に従って行動することで、落ち着いて学生等の施設利用者を避難場所へ導くことができ、それゆえ学生等の多数の施設利用者を確実に避難場所へ避難させることができる。しかも、特にレーザー光による画像表示装置等を用いないので、安価に避難指示パネルを構成することができる。
【０００９】
そしてこの考案の避難指示システムによれば、上記避難指示パネルを、壁面に設けられたパネル支持具が着脱可能に支持するので、通常時は避難指示パネルを壁面に支持して、避難経路図を表示するとともに、避難指示パネルのあり場所を判り易くしておき、災害時はその避難指示パネルを外して所持した者が、そこに表示された避難経路図を用いながら安全確認表の行動指針に従って行動することで、落ち着いて学生等の施設利用者を避難場所へ導くことができ、それゆえ学生等の多数の施設利用者を確実に避難場所へ避難させることができる。しかも、特にレーザー光による画像表示装置等を用いないので、安価に避難指示システムを構成することができる。
【００１０】
なお、この考案の避難指示パネルにおいては、前記安全確認表には、前記避難指示パネルを所持した者が、前記行動指針に従って行動しているか否かを記入する記入欄が設けられていると好ましい。このようにすれば、災害時に避難指示パネルを所持した者が、前記行動指針に従って行動しているか否かを点検して記入しながら行動することで、心理的に落ち着いて学生等の施設利用者を避難場所へ導くことができる。
【００１１】
また、この考案の避難指示パネルにおいては、前記安全確認表には、前記避難指示パネルを所持した者が、自分の名前を記入する記入欄が設けられていると好ましい。このようにすれば、避難指示パネルを所持した者に、記入欄に自分の名前を記入させることでリーダーとしての自覚を持たせることができ、また避難後の状況確認もその記名者から容易に行うことができる。
【００１２】
さらに、この考案の避難指示パネルにおいては、前記安全確認表には、前記避難指示パネルを所持した者が、避難前後でそれぞれ確認した避難人数を記入する記入欄が設けられていると好ましい。このようにすれば、避難前後でそれぞれ確認した記入欄の避難人数から、避難場所への誘導漏れのないことを確認することができる。
【００１３】
さらに、この考案の避難指示パネルにおいては、前記記入欄は、記入された情報を消去可能なものであると好ましい。このようにすれば、当該避難指示パネルを何度も再利用することができる。
【００１４】
さらに、この考案の避難指示パネルにおいては、前記避難経路図と前記安全確認表とは表側に一緒に表示されていても良いが、前記避難経路図は前記避難指示パネルの表側に表示され、前記安全確認表は前記避難指示パネルの裏側に表示されていると好ましい。このようにすれば、避難経路図と安全確認表とをそれぞれ、限られた大きさの避難指示パネルの全体に表示して見易くすることができ、しかも避難指示パネルを持ち運びし易い大きさにすることができる。
【００１５】
一方、この考案の避難指示システムにおいては、前記避難経路図は、前記避難指示パネルに表示される代わりに、壁面に設けられた避難経路図パネルに表示されていてもよい。このようにすれば、他の場所に残されていた者も、避難経路図パネルに表示された避難経路図を見て避難することができる。
【００１６】
また、この考案の避難指示システムにおいては、前記パネル支持具は、前記避難指示パネルの上下端部をそれぞれはめ込まれる嵌合部で前記避難指示パネルを支持し、前記避難指示パネルが撓められてその上下端部がそれぞれ前記嵌合部から抜け出ることで前記避難指示パネルを解放するものであると好ましい。このようにすれば、通常時はパネル支持具が避難指示パネルを嵌合部でしっかりと支持し、災害時は避難指示パネルの中央部を引っ張る等して避難指示パネルを例えば弾性的に撓ませることで避難指示パネルをパネル支持具から容易に外すことができる。
【００１７】
また、この考案の避難指示システムにおいては、前記パネル支持具は、前記避難指示パネルに形成された掛合穴に掛合する掛合部材で前記避難指示パネルを支持するものであってもよい。このようにすれば、パネル支持具を極めて安価に構成することができる。
【図面の簡単な説明】
【００１８】
【図１】（ａ），（ｂ）は、この考案の避難指示パネルの一実施例およびそれを具えるこの考案の避難指示システムの一実施例を示す正面図および側面図である。
【図２】は、上記実施例の避難指示パネルの裏面を示す背面図である。
【図３】（ａ），（ｂ）は、この考案の避難指示パネルの他の一実施例およびそれを具えるこの考案の避難指示システムの他の一実施例を示す正面図および側面図である。
【図４】は、上記実施例の避難指示パネルの裏面を示す背面図である。
【図５】（ａ），（ｂ）は、この考案の避難指示パネルのさらに他の一実施例およびそれを具えるこの考案の避難指示システムの他の一実施例を示す正面図および側面図である。
【図６】（ａ），（ｂ）は、上記実施例の避難指示システムにおける避難経路図パネルを示す平面図および側面図である。
【考案を実施するための形態】
【００１９】
以下、この考案の実施の形態を図面に基づく実施例によって詳細に説明する。ここに、図１（ａ），（ｂ）は、例えば学校の教室に用いられた、この考案の避難指示パネルの一実施例およびそれを具えるこの考案の避難指示システムの一実施例を示す正面図および側面図、また図２は、上記実施例の避難指示パネルの裏面を示す背面図であり、図中符号１は避難指示パネル、２はパネル支持具をそれぞれ示す。なお、図中に記載した寸法はあくまで例示であり、本考案はこれに限定されるものではない。
【００２０】
すなわち、この実施例の避難指示システムは、上記実施例の避難指示パネル１と、パネル支持具２とを具え、この実施例の避難指示パネル１は、例えば厚さ１．５ｍｍのポリエチレンテレフタレート（ＰＥＴ）板の両面上に樹脂フィルムからなるインクジェットシートを貼り付けることで形成されており、この避難指示パネル１の表側の面のインクジェットシートには、図１（ａ）に示すように、この避難指示パネル１は配置される場所とそこから避難場所までの避難経路とが表示された避難経路図が印刷されるとともに、下部に「非常時には裏面チェックシートに従って避難誘導してください。」との文字が印刷されている。
【００２１】
また、この実施例の避難指示パネル１の裏側の面のインクジェットシートには、図２に示すように、災害時の行動指針としての１〜１６までの確認項目を記載した安全確認表を含む安全確認シートが印刷されており、例えば確認項目１は、「災害発生！！まず、自分自身の身の安全をはかってください。」と記載され、確認項目２は、「あなたが、この教室の「避難誘導」リーダーです。」と記載され、そして確認項目３は、「「落ち着いて行動してください」と声をかける。」と記載されている。
【００２２】
この一方、この実施例の避難指示システムにおけるパネル支持具２は、図１（ａ），（ｂ）に示すように、壁面Ｗに図示しないネジ等で固定される台板２ａと、その台板２ａの両側面に固着された両側板２ｂと、その台板２ａの上下端部に開口部を向き合わせて固着された嵌合部としての断面コ字状の挟み板２ｃとを有し、それらの間に避難指示パネル１を支持する、例えばアルミニウム製の平板状のものであり、避難指示パネル１は、例えば下端部１ａを下側の挟み板２ｃに嵌合させて両側板２ｂの間に差し込み、中間部を手間側に弾性的に撓ませて上端部１ｂを上側の挟み板２ｃに嵌合させてから、その弾性によって中間部を平板状に戻すことでパネル支持具２に装着されて支持され、また、図では右側の側部の例えば台形のカット部１ｃから指等を裏側に入れて中間部を手間側に撓ませることで、上記と逆の手順でパネル支持具２から取り外すことができる。
【００２３】
従って、この実施例の避難指示パネル１によれば、避難指示パネル１に避難経路図に併せて、災害発生時に安全を確認するための行動指針を列挙した安全確認表が表示されているので、多数の人が利用する学校等の施設あるいは建物内において地震等の災害が発生した時に、この避難指示パネル１を所持した者、例えば学校では教師等が例えばリーダーとなるよう事前に打ち合わせておき、あるいは当該安全確認表に行動指針として記載しておき、そのリーダー等が、表側の避難経路図を用いながら裏側の安全確認表の行動指針に従って行動することで、落ち着いて学生等の施設利用者を避難場所へ導くことができ、それゆえ学生等の多数の施設利用者をもらさず避難場所へ避難させることができる。しかも、特にレーザー光による画像表示装置等を用いないので、安価に避難指示パネルを構成することができる。
【００２４】
また、上記避難指示パネル１とパネル支持具２とを具えるこの実施例の避難指示システムによれば、上記避難指示パネル１を、壁面Ｗに設けられたパネル支持具２が着脱可能に支持するので、通常時は避難指示パネル１を壁面Ｗに支持して、避難経路図を表示するとともに、避難指示パネル１のあり場所を判り易くしておき、災害時はその避難指示パネル１を外して所持した者が、その表側に表示された避難経路図を用いながら裏側の安全確認表の行動指針に従って行動することで、落ち着いて学生等の施設利用者を避難場所へ導くことができ、それゆえ学生等の多数の施設利用者をもらさず避難場所へ避難させることができる。しかも、特にレーザー光による画像表示装置等を用いないので、安価に避難指示システムを構成することができる。
【００２５】
さらに、この実施例の避難指示パネル１の裏側の各確認項目の右端には、当該避難指示パネル１を所持した者が、上記行動指針に従って行動しているか否かを記入する記入欄すなわち、上記確認項目を実施したことを確認した結果をチェック印で記入するチェック欄が設けられている。これにより、災害時に避難指示パネル１を所持した者が、上記行動指針に従って行動しているか否かを点検して記入しながら行動することで、心理的に落ち着いて学生等の施設利用者を避難場所へ導くことができる。
【００２６】
また、この実施例の避難指示パネル１の裏側の面の安全確認シートにおける安全確認表には、当該避難指示パネル１を所持した者が、自分の名前を記入する記入欄が設けられている。これにより、避難指示パネル１を所持した者に、記入欄に自分の名前を記入させることでリーダーとしての自覚を持たせることができ、また避難後の状況確認もその記名者から容易に行うことができる。
【００２７】
さらに、この実施例の避難指示パネル１の裏側の面の安全確認シートにおける安全確認表には、避難指示パネル１を所持した者が、避難前後でそれぞれ確認した避難人数を記入する記入欄が設けられている。これにより、避難前後でそれぞれ確認した記入欄の避難人数から、避難場所への誘導漏れのないことを確認することができる。
【００２８】
さらに、この実施例の避難指示パネル１の裏側の面の安全確認シートは、樹脂フィルムからなるインクジェットシートに印刷されているので、その安全確認シートにおける記入欄は、鉛筆や水性ボールペン等で記入された情報を、アルコール綿等で消去できるものである。これにより、当該避難指示パネル１を何度も再利用することができる。
【００２９】
さらに、この実施例の避難指示パネル１では、避難経路図は当該避難指示パネル１の表側に表示される一方、安全確認表は当該避難指示パネル１の裏側に表示されている。これにより、避難経路図と安全確認表とをそれぞれ、限られた大きさの避難指示パネル１の全体に表示して見易くすることができ、しかも避難指示パネル１を持ち運びし易い大きさにすることができる。そして、避難経路図の左端には、建屋ごとに色分けされた帯であって当該避難指示パネル１が配置される建屋の色の帯が印刷されており、これにより、建屋ごとの避難人数の集計等を手際よく行うことができる。
【００３０】
また、この実施例の避難指示システムでは、パネル支持具２は、避難指示パネル１の上下端部をそれぞれはめ込まれる挟み板２ｃで避難指示パネル１を支持し、その避難指示パネル１が撓められてその上下端部がそれぞれ挟み板２ｃから抜け出ることで避難指示パネル１を解放するものである。これにより、通常時はパネル支持具２が避難指示パネル１を挟み板２ｃでしっかりと支持し、災害時は避難指示パネル１の中央部を引っ張る等して避難指示パネル１を弾性的に撓ませることで避難指示パネル１をパネル支持具２から容易に外すことができる。
【００３１】
図３（ａ），（ｂ）は、この考案の避難指示パネルの他の一実施例およびそれを具えるこの考案の避難指示システムの他の一実施例を示す正面図および側面図、また図４は、上記実施例の避難指示パネルの裏面を示す背面図である。なお、ここにおける避難指示パネル１でも、避難経路図は当該避難指示パネル１の表側に表示される一方、安全確認表は当該避難指示パネル１の裏側に表示されており、その表示内容は基本的に先の実施例のものと同一であるので、ここでは先の実施例との相違点を主として説明する。
【００３２】
すなわち、この実施例の避難指示パネル１は、例えば厚さ２ｍｍのアクリル板の両面に上記インクジェットシートを貼り付けることで形成されており、この避難指示パネル１の上端部には、横長の掛合穴１ｄが形成されている。また、この実施例の避難指示システムにおけるパネル支持具２は、その前面に、掛合穴１ｄに掛合する掛合部材としてのフック２ｄを有している。これにより、この実施例の避難指示システムによれば、パネル支持具２を極めて安価に構成することができる。
【００３３】
図５（ａ），（ｂ）は、この考案の避難指示パネルのさらに他の一実施例およびそれを具えるこの考案の避難指示システムの他の一実施例を示す正面図および側面図、また図６（ａ），（ｂ）は、上記実施例の避難指示システムにおける避難経路図パネルを示す平面図および側面図である。
【００３４】
この実施例の避難指示システムは、避難指示パネル１の他に避難経路図パネル３を具えており、このためこの実施例の避難指示パネル１は、例えば厚さ２ｍｍのアクリル板の片面に上記インクジェットシートを貼り付けて先の実施例におけると同様の安全確認表を印刷表示した構成とされ、この避難指示パネル１の上端部にも、横長の掛合穴１ｄが形成されている。また、この実施例の避難指示システムにおけるパネル支持具２は、その前面に、掛合穴１ｄに掛合する掛合部材としてのフック２ｄを有している。これにより、この実施例の避難指示システムによれば、パネル支持具２を極めて安価に構成することができる。
【００３５】
また、この実施例の避難指示システムにおける避難経路図パネル３は、例えば厚さ３ｍｍのアルミニウム複合板の片面に上記インクジェットシートを貼り付けて先の実施例におけると同様の避難経路図を印刷表示した構成とされ、下部に「非常時にはチェックシートに従って避難誘導してください。」との文字が印刷されており、この避難経路図パネル３は、例えば厚さ３ｍｍのアルミニウム複合板からなる台板４を介して壁面Ｗ上に、避難指示パネル１と左右あるいは上下に並べて固着されている。これにより、この実施例の避難指示システムによれば、他の場所に残されていた者も、避難経路図パネル２に表示された避難経路図を見て避難することができる。
【００３６】
以上図示例に基づき説明したが、この考案は上記例に限定されるものでなく、例えば避難指示パネル１の表面上に避難経路図と安全確認表とを左右あるいは上下に並べて表示してもよく、またパネル支持具２は、アルバムのように避難指示パネル１の四隅部を差し込まれて支持する構成としてもよい。そしてこの考案の避難指示パネルおよび避難指示システムは学校以外の、多数の人が利用する施設あるいは建物等に用いることもできる。
【産業上の利用可能性】
【００３７】
かくしてここの考案の避難指示パネルによれば、避難指示パネルに避難経路図に併せて、災害発生時に安全を確認するための行動指針を列挙した安全確認表が表示されているので、多数の人が利用する学校等の施設あるいは建物内において地震等の災害が発生した時に、この避難指示パネルを所持した者、例えば学校では教師等が例えばリーダーとなるよう事前に打ち合わせておき、あるいは当該安全確認表に行動指針として記載しておき、そのリーダー等が、避難経路図を用いながら安全確認表の行動指針に従って行動することで、落ち着いて学生等の施設利用者を避難場所へ導くことができ、それゆえ学生等の多数の施設利用者を確実に避難場所へ避難させることができる。しかも、特にレーザー光による画像表示装置等を用いないので、安価に避難指示パネルを構成することができる。
【００３８】
そしてこの考案の避難指示システムによれば、上記避難指示パネルを、壁面に設けられたパネル支持具が着脱可能に支持するので、通常時は避難指示パネルを壁面に支持して、避難経路図を表示するとともに、避難指示パネルのあり場所を判り易くしておき、災害時はその避難指示パネルを外して所持した者が、そこに表示された避難経路図を用いながら安全確認表の行動指針に従って行動することで、落ち着いて学生等の施設利用者を避難場所へ導くことができ、それゆえ学生等の多数の施設利用者を確実に避難場所へ避難させることができる。しかも、特にレーザー光による画像表示装置等を用いないので、安価に避難指示システムを構成することができる。
【符号の説明】
【００３９】
１  避難指示パネル
１ａ  下端部
１ｂ  上端部
１ｃ  カット部
１ｄ  掛合穴
２  パネル支持具
２ａ  台板
２ｂ  側板
２ｃ  挟み板
２ｄ  フック
３  避難経路図パネル
４  台板
Ｗ  壁面
0003173925.tif 000003
【手続補正書】
【提出日】平成23年12月20日(2011.12.20)
【手続補正１】
【補正対象書類名】実用新案登録請求の範囲
【補正対象項目名】全文
【補正方法】変更
【補正の内容】
【実用新案登録請求の範囲】
【請求項１】
避難経路図が表示された避難指示パネルであって、
前記避難指示パネルには、災害発生時に安全を確認するための行動指針を列挙した安全確認表が併せて表示されており、
前記避難経路図は前記避難指示パネルの表側に表示され、前記安全確認表は前記避難指示パネルの裏側に表示されていることを特徴とする、避難指示パネル。
【請求項２】
請求項１記載の避難指示パネルと、
壁面に設けられて前記避難指示パネルを着脱可能に支持するパネル支持具と、
を具えてなる避難指示システム。
【請求項３】
前記パネル支持具は、前記避難指示パネルの上下端部をそれぞれはめ込まれる嵌合部で前記避難指示パネルを支持し、前記避難指示パネルが撓められてその上下端部がそれぞれ前記嵌合部から抜け出ることで前記避難指示パネルを解放することを特徴とする、請求項２記載の避難指示システム。
【請求項４】
前記パネル支持具は、前記避難指示パネルに形成された掛合穴に掛合する掛合部材で前記避難指示パネルを支持することを特徴とする、請求項２記載の避難指示システム。
【手続補正２】
【補正対象書類名】明細書
【補正対象項目名】００１８
【補正方法】変更
【補正の内容】
【００１８】
【図１】（ａ），（ｂ）は、この考案の避難指示パネルの一実施例およびそれを具えるこの考案の避難指示システムの一実施例を示す正面図および側面図である。
【図２】は、上記実施例の避難指示パネルの裏面を示す背面図である。
【図３】（ａ），（ｂ）は、この考案の避難指示パネルの他の一実施例およびそれを具えるこの考案の避難指示システムの他の一実施例を示す正面図および側面図である。
【図４】は、上記実施例の避難指示パネルの裏面を示す背面図である。
【図５】（ａ），（ｂ）は、この考案の避難指示パネルのさらに他の一実施例およびそれを具えるこの考案の避難指示システムの他の一実施例を示す正面図および側面図である。
【図６】（ａ），（ｂ）は、上記実施例の避難指示システムにおける避難指示パネルを示す平面図および側面図である。
【手続補正３】
【補正対象書類名】明細書
【補正対象項目名】００３３
【補正方法】変更
【補正の内容】
【００３３】
図５（ａ），（ｂ）は、この考案の避難指示パネルのさらに他の一実施例およびそれを具えるこの考案の避難指示システムの他の一実施例を示す正面図および側面図、また図６（ａ），（ｂ）は、上記実施例の避難指示システムにおける避難指示パネルを示す平面図および側面図である。
【手続補正４】
【補正対象書類名】図面
【補正対象項目名】全図
【補正方法】変更
【補正の内容】
【図１】
0003173925.tif 000004
【図２】
0003173925.tif 000005
【図３】
0003173925.tif 000006
【図４】
0003173925.tif 000007
【図５】
0003173925.tif 000008
【図６】
0003173925.tif 000009